(57)【要約】【課題】  構造が簡単且つコンパクトで外観がスマートであり、加工性、組付性に優れ、搬送、格納が容易であり、作業者が安全に操作できるタンクの傾斜装置を提供する。    【解決手段】  固定台１と、この固定台１の左右側部にヒンジ３を介して回転自在に結合させたタンク支持台２と、上記タンク支持台２の後端部とこれに対向する固定台２の後端部との間に介装されて上記タンク支持台２の後端部を常時上方に押し上げている附勢手段４と、上記タンク支持台２の先端部に起立させたストッパ６と、上記タンク支持台２の側部に設けたタンク保持手段７とからなるものである。【選択図】  図１
2010052904.tif 000002
【特許請求の範囲】
【請求項１】
固定台（１）と、この固定台（１）の先端側部にヒンジ（３）を介して回転自在に結合させたタンク支持台（２）と、上記タンク支持台（２）の後端部とこれに対向する固定台（２）の後端部との間に介装されて上記タンク支持台（２）の後端部を常時上方に押し上げている附勢手段（４）と、上記タンク支持台（２）の先端部に起立させたストッパ（６）と、上記タンク支持台（２）の側部に設けたタンク保持手段（７）とからなるタンクの傾斜装置。
【請求項２】
上記固定台（１）が前後枠（１ａ）、（１ｂ）と、左右の側枠（１ｃ）、（１ｄ）とで矩形の枠体に構成され、上記タンク支持台が前後枠（２ａ）、（２ｂ）と、左右の側枠（２ｃ）、（２ｄ）と、上記前後枠（２ａ）、（２ｂ）と上記側枠（２ｃ）、（２ｄ）との間に架設した格子状の補強枠（２ｅ）、（２ｆ）とからなる枠体で構成され、上記附勢手段（４）が上記タンク支持台（２）の左右の側枠（２ｃ）、（２ｄ）に設けた上側ブラケット（４ｂ）と、上記固定台（１）の左右の側枠にスライド自在に取り付けた下側ブラケット（４ｃ）と、上記上側ブラケット（４ｂ）と下側ブラケット（４ｃ）との間にそれぞれ上下端部を回転自在に軸支したリンク（４ｄ）と、上記下側ブラケット（４ｃ）と上記固定台（１）の後枠（１ｂ）との間に介装されて常時下側ブラケット（４ｃ）を引っ張って上記リンク（４ｄ）を起立させるバネ（４ａ）とで構成させている請求項１に記載のタンクの傾斜装置。
【請求項３】
固定台（１）とタンク支持台（２）との間に上記附勢手段（４）と並列に常時タンク支持台（２）を上方に押し上げている附勢補助手段（５）を設けている請求項１又は２に記載のタンクの傾斜装置。
【請求項４】
固定台（１１）と、この固定台（１１）上に設けた軸受（１４）に回転自在に取り付けた回転軸（１３）と、この回転軸（１３）に結合されて上記固定台（１１）に対向するタンク支持台（１２）と、上記固定台（１１）の左右側部と上記タンク支持台（１２）の左右側部との間に介装されて上記タンク支持台（１２）の左右側部を常に下方に引っ張り込む附勢手段（１６）と、上記タンク支持台（１２）の先端部に起立させたストッパ（１８）と、上記固定台（１１）の後端部上に設けられて上記タンク支持台（１２）の後端部に対向させた台座（１７）と、上記タンク支持台（１２）の左右側部に起立したタンク保持手段（１９）とからなるタンクの傾斜装置。
【請求項５】
上記タンク支持台（１２）の重心から先端側にずらした位置に回転軸（１３）を取り付け、上記固定台（１１）の左右側部と上記タンク支持台（１２）の左右側部とにそれぞれブラケット（２３）、（２４）を起立させ、これらの各ブラケット（２３）、（２４）との間に介装したコイルバネからなる附勢手段（１６）を設けている請求項４に記載のタンクの傾斜装置。
【発明の詳細な説明】
【技術分野】
【０００１】
本発明は、タンクの傾斜装置に関し、特に、タンク内の殺虫剤等の流体をホースを介してポンプなどで汲み出す際、タンク内の流体が少なくなった時自動的にタンクを傾斜させて残留液をタンクの底部のコーナに集め、上記ホースで残留液を吸い込みやすくる、これにより残留液を出来るだけ少なくして無駄を無くすようにするタンクの傾斜装置に関する。
【背景技術】
【０００２】
一般に農場における植物に供給する水、又は植物に散布する殺虫溶液、工場に送る油、ガソリン、又は動物に与える飲料水等の流体をタンクＴ内に収容し、これを図５に示すように自動車Ｊで遠方に輸送し、現地でこのタンクＴ内の流体をホースＨを介してポンプで吸引して回収する場合がある。
【０００３】
この場合、タンクＴ内の流体が回収途中で少なくなってタンクＴの底に水平にわずかしか残っていなくなると上記のホースＨで流体を吸い込みにくくなる。
【０００４】
そこで、従来は、図６に示すように、自動車Ｊの上で作業者が手動でタンクＴを傾斜させて流体をタンクＴの底部コーナに集め、ホースＨによる吸い込みを容易にし、流体の残留を少なくし、無駄をなくしている。
【０００５】
しかし、上記にように作業者が手動でタンクＴを傾動させることは操作性が悪く、作業者が転倒する危険もある。
【０００６】
そこで、これを解決する手段として、例えば、特許文献１に示すタンクの傾斜装置が開発されている。
【０００７】
このタンクの傾斜装置は、流体を収容したドラム缶状のタンクを自動的に傾斜させるもので、基台と、この基台に重ねながら左右側部を枢着させたタンク載置台と、このタンク載置台の後部に起立した柱部材と、上記基台の後端部と上記柱部材との間に架設されて上記載置台の後端部を常時上方に押し上げているバネとで構成したものである。
【０００８】
このタンクの傾斜装置によれば、タンク内の流体を回収してタンクと流体との合計の重量が軽くなると上記バネで上記柱部材と上記載置台を傾斜させ、これにより載置台上のタンクを自動的に傾斜させ、タンク内の流体をタンクの前側底部のコーナに集め、ホースによる流体の吸い込みを良くし、残留液が出来るだけ少なくするようにしたものである。
【特許文献１】特開２００２−３１６７２７公報（図面、要約参照）
【発明の開示】
【発明が解決しようとする課題】
【０００９】
しかし、上述した従来の技術では、タンク内残留液の割合によって傾斜角度を調節できる点において優れているが、以下の不具合の改善が望まれている。
【００１０】
上記従来のタンクの傾斜装置は底面の大きさに比べて座高が高い長方体状のドラム缶タイプのタンクを対象としているため、タンク載置台を傾斜したときタンクがタンク載置台の前側に転倒する可能性が高く、危険である。
【００１１】
そのため、タンクの転倒を防止するためにはどうしてもタンクの座高に対応した柱部材を起立させ、この柱部材でタンクを支えておく必要がある。
【００１２】
このため、柱部材が起立している分構造が複雑であって加工性、組付性に劣る。
【００１３】
更に、タンクを搭載していないときにはこの柱部材やバネが外部に張り出して嵩張るから外観が悪く、邪魔になり、搬送、格納が不便であり、作業者が引っ掛る恐れもあって危険である。
【００１４】
更に、従来技術では、タンクを固定するために上記柱部材の上部に付設したタンク落下防止用のタンク上縁止具のみにて固定しているため、タンクの形状によってはタンクの上縁に引っかかるところがない若しくは引っ掛かりが不十分によりタンクが傾斜装置から落下する危険性がある。
【００１５】
そこで、本発明の目的は、構造が簡単且つコンパクトで外観がスマートであり、加工性、組付性に優れ、搬送、格納が容易であり、作業者が安全に操作できるタンクの傾斜装置を提供することである。
【課題を解決するための手段】
【００１６】
上記の目的を達成するため、本発明の一つの手段は、固定台と、この固定台の先端側部にヒンジを介して回転自在に結合させたタンク支持台と、上記タンク支持台の後端部とこれに対向する固定台の後端部との間に介装されて上記タンク支持台の後端部を常時上方に押し上げている附勢手段と、上記タンク支持台の先端部に起立させたストッパと、上記タンク支持台の側部に設けたタンク保持手段とからなることを特徴とするものである。
【００１７】
この場合、上記固定台が前後枠と、左右の側枠とで矩形の枠体に構成され、上記タンク支持台が前後枠と、左右の側枠と、上記前後枠と上記側枠との間に架設した格子状の補強枠とからなる枠体で構成され、上記附勢手段が、上記タンク支持台の左右の側枠に設けた上側ブラケットと、上記固定台の左右の側枠にスライド自在に取り付けた下側ブラケットと、上記上側ブラケットと下側ブラケットとの間にそれぞれ上下端部を回転自在に軸支したリンクと、上記下側ブラケットと上記固定台の後枠との間に介装されて常時下側ブラケットを引っ張って上記リンクを起立させるバネとで構成させているのが好ましい。
【００１８】
同じく、固定台とタンク支持台との間に上記附勢手段と並列に常時タンク支持台を上方に押し上げている附勢補助手段を設けても良い。
【００１９】
同じく、他の手段は、固定台と、この固定台上に設けた軸受に回転自在に取り付けた回転軸と、この回転軸に結合されて上記固定台に対向するタンク支持台と、上記固定台の左右側部と上記タンク支持台の左右側部との間に介装されて上記タンク支持台の左右側部を常に下方に引っ張り込む附勢手段と、上記タンク支持台の先端部に起立させたストッパと、上記固定台の後端部上に設けられて上記タンク支持台の後端部に対向させた台座と、上記タンク支持台の左右側に起立したタンク保持板とからなることを特徴とするものである。
【００２０】
この場合、上記タンク支持台の重心から先端側にずらした位置に回転軸を取り付け、上記固定台の左右側部と上記タンク支持台の左右側部とにそれぞれブラケットを起立させ、これらの各ブラケットとの間にコイルバネからなる附勢手段を設けているのが好ましい。
【発明の効果】
【００２１】
各請求項の発明によれば、次の効果を達成できる。
【００２２】
Ａ  請求項１、２、３の発明によれば、固定台１とタンク支持台２との間にタンク支持台２の後端部を常時上方に押し上げている附勢手段４を設けているから、タンク支持台２に消毒液等の流体を収容したタンク搭載している状態において、上記タンク内の流体が回収されて次第にタンク内の流体が減少し、タンクと流体との合計の重量が流体の満タン時に比べて軽くなったとき、上記の附勢手段４によってタンク支持台２の後端部側が押し上げられて左右側部のヒンジ３を支点にして回転する。
【００２３】
このため、タンク内の流体がタンクの底部のコーナに集まって溜まりホースで吸引し易くなる。したがって、流体の吸い込み残りを防止し、全量もしくは全量近くまで流体を回収できるので流体の無駄を防止できる。
【００２４】
Ｂ  同じく、附勢手段７が固定台１の後端部とこれに対向するタンク支持台２の後端部との間に附勢手段７を介装させているからこの附勢手段７が外部に大きく露出せず、固定台１とタンク支持台２の外側には大幅に邪魔になる部材が存在せず、全体の構造がシンプル且つコンパクトで、加工性、組付性、経済性にすぐれ、外観もスマートである。
【００２５】
Ｃ  同じく、タンク支持台２の先端部にストッパ起立させているからタンクが先端側に滑ってもこのストッパ２がそれ以上タンクの移動を阻止し、併せてタンク支持台２にタンク保持手段７を設けているから、この保持手段でしっかりとタンクをタンク支持台上に保持させ、タンクの転倒や落下を防止できる。
【００２６】
Ｄ  同じく、固定枠１が矩形の枠体で構成され、タンク支持枠２が前後左右の枠と格子状の補強枠とで構成されているから構造が簡単で重量の軽減化を図れる。
【００２７】
Ｅ  同じく、附勢手段４がリンク機構を利用しているから単純なコイルスプリングからなるものに比べて当該リンク機構を扁平に折り畳むことができ、単一のタンクの傾斜装置全体をコンパクトに格納でき、その結果複数のタンクの傾斜装置を多段に重ねて搬送でき、又は倉庫に重ねて収容できる。
【００２８】
Ｆ  請求項３の発明によれば、附勢補助手段５を附勢手段４と並列に設けているので附勢手段４より先に始動してタンク支持台２を押し上げることができ、附勢手段４の押し上げ作動スムースに行うことができる。
【００２９】
Ｇ  請求項４、５の発明によれば、固定台１１とタンク支持台１２との間にタンク支持台１２を傾斜方向に附勢する附勢手段１６を設けているから、タンク支持台１２に消毒液等の流体を収容したタンク搭載している状態において、上記タンク内の流体が回収されて次第にタンク内の流体が減少し、タンクと流体との合計の重量が流体の満タン時に比べて軽くなったとき、上記の附勢手段１６によってタンク支持台１２の先端部側が引き下げられて左右側部の軸受１４を支点にして回転する。
【００３０】
このため、タンク内の流体がタンクの底部のコーナに集まって溜まりホースで吸引し易くなる。したがって、流体の吸い込み残りを防止し、全量もしくは全量近くまで流体を回収できるので流体の無駄を防止できる。
【００３１】
Ｈ  同じく、固定台１１にタンク支持台１２の後端部に対向する台座１７を設けているから、タンク支持台１２上にタンクを載置した時タンク支持台１２を支えて当該タンク支持台１２を水平の保持させることが出来る。
【００３２】
Ｉ  同じく、タンク支持台１２の先端部にストッパ１８起立させているからタンクが滑っててもこのストッパ１８がそれ以上タンクの移動を阻止し、併せてタンク支持台１２にタンク保持板１９を設けているから、この保持板１９でタンクをタンク支持台１８の横方からタンクが転倒したり落下したりするのを防止できる。
【発明を実施するための最良の形態】
【００３３】
以下本発明の実施の一例を図に基づいて説明する。
【００３４】
図１乃至図３は請求項１から請求項３の発明に対応する第１の実施の形態を示し、図４、図５は請求項４、請求項５の発明に対応する第２の実施の形態を示す。
【００３５】
これらの実施の形態に係わるタンクの傾斜装置は、流体、例えば、農場の植物に噴霧する消毒液を収容するタンクＴを自動的に傾斜させるのに適用するものである。特に使用されるタンクＴはその座高がドラム缶等に比べて低いものの使用に適する
第１の実施の形態に係わるタンクの傾斜装置の基本構造は、固定台１と、この固定台１の先端側部にヒンジ３を介して回転自在に結合させたタンク支持台２と、上記タンク支持台２の後端部とこれに対向する固定台１の後端部との間に介装されて上記タンク支持台２の後端部を常時上方に押し上げている附勢手段４と、上記タンク支持台２の先端部に起立させたストッパ６と、上記タンク支持台２の側部に設けたタンク保持手段７とからなるものである。
【００３６】
そして、上記固定台１が前後枠１ａ、１ｂと、左右の側枠１ｃ、１ｄとで矩形の枠体に構成されている。
【００３７】
また、上記タンク支持台が前後枠２ａ、２ｂと、左右の側枠２ｃ、２ｄと、上記前後枠２ａ、２ｂと上記側枠２ｃ、２ｄとの間に架設した格子状の補強枠２ｅ、２ｆとからなる枠体で構成されている。
【００３８】
さらに、上記附勢手段４が、上記タンク支持台２の左右の側枠２ｃ、２ｄに設けた上側ブラケット４ｂと、上記固定台１の左右の側枠にスライド自在に取り付けた下側ブラケット４ｃと、上記上側ブラケット４ｂと下側ブラケット４ｃとの間にそれぞれ上下端部を回転自在に軸支したリンク４ｄと、上記下側ブラケット４ｃと上記固定台１の後枠１ｂとの間に介装されて常時下側ブラケット４ｃを引っ張って上記リンク４ｄを起立させるバネ４ａとで構成させている。
【００３９】
また、固定台１とタンク支持台２との間に上記附勢手段４と並列に常時タンク支持台２を上方に押し上げている附勢補助手段５を設けている。
【００４０】
上記固定台１とタンク支持台２の後枠１ｂ、２ｂにそれぞれにブラケット９、１０を取り付け、このブラケット９、１０間に着脱自在に引っ掛けられるチェーン等からなる引っ掛け具８を設けている。このため、引っ掛け具８をブラケット１０に係合することにより、タンクＴに消毒液等の流体を入れた状態でこのタンクＴを水平に搭載する時にタンク支持台２が水平状態を保て、併せてタンクＴが水平に安定して保たれる。
【００４１】
この引っ掛け具８は車両のシャーシに設けたフック等に引っ掛けてタンクの傾斜装置を移動しないように保持させることもできる。
【００４２】
上記固定台１及びタンク支持台２は上記のように枠体状に成形されているが、その形状はこれに限定されるものではなく、例えば板状であってもよく、タンクＴに流体を満たしたときの荷重に耐え得る強度を得られればこの限りではない。特に上記補強枠２ｅ、２ｆは格子状に形成されているが、その形状はこれに限定されるものではない。
【００４３】
次に、上記附勢手段４の形態については、図３に示すように、タンク支持台２の左右の側枠２ｃ、２ｄの後方外側面に設けた上側ブラケット４ｂと、上記固定台１の左右の側枠１ｃ、１ｄに設けたレール４ｆにローラ４ｅを介してスライド自在に取り付けた下側ブラケット４ｃと、上記上側ブラケット４ｂと下側ブラケット４ｃとにそれぞれ回転自在に  軸支したリンク４ｄと、上記固定台１の後側枠１ｂと上記下側ブラケット４ｃとの間に介装した引っ張りバネ４ａとで構成されている。
【００４４】
梃子の原理により効率よく上記タンク支持台２の後方を持ち上げるため、上記附勢手段４は上記ヒンジ３から離れた位置に設置することが望ましいが、必要に応じてタンク支持台２のヒンジ３より後方部分であれば何れに取り付けてもよい。
【００４５】
固定台１とタンク支持台２の後方２箇所に附勢手段４を設けているが、タンクＴを傾斜されるのに十分な附勢を得ることができれば１箇所でも良く、２箇所以上に取り付けても良い。
【００４６】
また、引っ張りバネとしてコイルバネ４ａを用いているが、その他のバネでもよく、ゴムその他同様の弾性体であっても良い。
【００４７】
また、上記下側ブラケット４ｃをスライド自在に取り付けるため、レール４ｆを取り付けているが、固定台枠１の側枠に溝を掘るなど別の方法を用いてもよい。
【００４８】
また、上記の実施の形態では、上記リンク４ｄの上端部を軸を介して上記上側ブラケット４ｂに回転自在に枢着させているが、上記リンク４ｄの上部に外方に開放された例えば側面から見てＵ字状の切欠き溝を形成し、この切欠き溝に上記軸を挿入させてもよい。これにより、上側ブラケット４ｂに上記リンク４ｄを着脱自在に取り付けることができ、上記リンク４ｄを上記上側ブラケット４ｂから外したときに、上記タンク支持台２に荷重がかからなくとも容易に上記固定台１と上記タンク支持台２とを水平にすることが可能となり、タンクの傾斜装置を重ねる際や梱包の際の利便性が向上する。
【００４９】
次に、上記タンク保持手段７については、図１に示すように、上記タンク支持台１における左右側枠２ｃ、２ｄの任意の位置と格子枠２ｆに設けたブラケット７ａと、このブラケット７ａに結合したベルト、ワイヤ又は紐からなるタンク締結手段７ｂとから構成されている。
【００５０】
上記タンク保持手段７としては、必ずしもベルトやワイヤ又は紐である必要はなく、タンクを固定するのに十分な強度を確保することができれば、この限りではない。上記タンク保持手段７は後述で説明する図４にあるような、タンク支持枠の側面にタンク保持板１９ａ、１９ｂを設けたタンク保持手段１９でもよく、また上記両方のタンク保持手段７、１９を併せて使用してもよい。
【００５１】
次に、上記附勢補助手段５については、図３に示すように、上記タンク支持台２の左右の側枠２ｃ、２ｄ後端部に起立する補助バネ用ブラケット５ｂと、このブラケット５ｂとタンク固定台１の左右の側枠１ｃ、１ｄ後端部部との間に介装される補助バネ５ａとからなる。好ましくは上記補助バネ５ａが伸縮する時に上記固定枠１や補助バネ用ブラケット５ａに緩衝しないよう保護カバー５ｃで保護する。
【００５２】
上記附勢補助手段５としては、附勢手段４と並列に上記固定台１とタンク支持台２の後方端部２箇所に設けているが、取り付け箇所は２箇所である必要はなく、必ずしも取り付ける必要はない。また、弾性体としてコイルバネを用いているが、その他の公知の弾性体であっても良い。
【００５３】
タンクＴ内の流体が満水の時には、タンク支持台２がタンク及びタンク内流体の重量による荷重で下方に押され、ヒンジ３を介してこのタンク支持台２が時計方向に回転して図２に示すように水平状態となる。
【００５４】
この際附勢補助手段４が圧縮し、同時にリンク４ｄがバネ４ａに抗して時計方向に回転しながらほぼ水平状態となる。
【００５５】
この作動中では、下側ブラケット４ｃがローラを４ｅを介して固定台１の左右側部側にスライドし、バネ４ａが伸びて張力が大きくなる。
【００５６】
つまり、タンク支持台２にタンク及びタンク内流体によりタンク支持台２に荷重がかかると、リンク４ｆを押し下げ、このリンク４ｆに回転自在に取り付けられ下側ブラケット４ｃがローラ４ｅを介してスライドし、この下側ブラケット４ｃに取り付けられたバネ４ａが左右側部側に蓄勢復帰力を持って伸びる。これと同時に、上記補助バネ用ブラケット５ｂを介して上記タンク支持台２に設けられた補助バネ５ａが蓄勢復帰力を持って縮む。
【００５７】
タンク内の残留液量が少なくなった時には、重量が軽くなりタンク支持台２に対する荷重が減少する。この為、最初に附勢補助手段たるバネ５ａの蓄勢復帰力によりタンク支持台が押し上げられ、次いで附勢手段４におけるバネ４ａの復元力で下側ブラケット４ｃが後端部側に引っ張られ、したがってリンク４ｄが反時計方向に回転しながら起立してタンク支持台２の後端部側を上方に押し上げ、ヒンジ３を介して反時計方向に回転させて傾斜させる。
【００５８】
この場合、附勢補助手段５は無くても作動させることが出来るがスピードアップを図るためにはこれが存在するほうが好ましい。
【００５９】
上記の作動では、上記下側ブラケット４ｃがレール４ｆ上を後方にスライドし、下側ブラケット４ｃと回転自在に取り付けられたリンク４ｄが垂直方向に立ち上がることでタンク支持台２に取り付けられた上側ブラケット４ｂが押し上げられ、タンク支持台２の後方枠２ｂを押し上げる附勢力となる。
【００６０】
第２の実施の形態に係わるタンクの傾斜装置の基本構造は、固定台１１と、この固定台１１上に設けた軸受１４に回転自在に取り付けた回転軸１３と、この回転軸１３に結合されて上記固定台１１に対向するタンク支持台１２と、上記固定台１１の左右側部と上記タンク支持台１２の左右側部部との間に介装されて上記タンク支持台１２の左右側部部を常に下方に引っ張り込む附勢手段１６と、上記タンク支持台１２の先端部に起立させたストッパ１８と、上記固定台１１の後端部上に設けられて上記タンク支持台１２の後端部に対向させた台座１７と、上記タンク支持台１２の左右側に起立したタンク保持板１９とからなるものである。
【００６１】
この場合、上記タンク支持台１２の重心から先端側ずらした位置に回転軸１３を取り付け、上記固定台１１の左右側部と上記タンク支持台１２の左右側部とにそれぞれブラケット２３、２４を起立させ、これらの各ブラケット２３、２４との間にコイルバネからなる附勢手段１６を設けている。
【００６２】
上記固定台１１及びタンク支持台１２の形状はタンクに流体を満たしたときの荷重に耐え得る強度を得られれば図示の形状に限定されるものではない。    
また、タンク支持台１２の前方枠１２ａを常時下方に引っ張る附勢手段としてバネを使用しているが、バネと同様の公知のゴムその他の弾性体であっても良い。
【００６３】
効率よくタンク支持台１２の前方たる左右側部側を引っ張るために上記回転軸１３から上記附勢手段１６の取り付け位置は離れていることが望ましいが、必要に応じて上記附勢手段１６の取り付け位置及び取り付け数量を変更することが可能である。
【００６４】
タンクＴに流体を入れタンクを水平に積載する時に水平が安定に保たれるよう、上記固定台１１とタンク支持台１２の後方枠１１ｂ、１２ｂにそれぞれブラケット２１、２２を取り付け、これらのブラケット２１、２２間に着脱自在に引っ掛けられる引っ掛け具２０を設けるのが好ましい。
【００６５】
次に、上記タンク保持手段１９については、図４に示すように、上記タンク支持台１２の左右の側枠１２ｃ、１２ｄに起立した一対のタンク保持板１９ａ、１９ｂから構成されている。
【００６６】
上記タンク保持手段１９としては、必ずしも一対のタンク保持板である必要はなく、図１に示す先の実施の形態と同じようにブラケットとこれに結合するベルト、ワイヤ又は紐などのタンク締結手段を用いても良い。
【００６７】
流体が満水の時には、タンクＴ及びタンク内流体の荷重により図５に示すようにタンク支持台１２が水平な状態となる。つまり、タンク支持台１２にタンクＴ及びタンク内流体によりタンク支持台１２に下向きの荷重がかかると、上記タンク支持台１２の回転軸１３の設置位置がタンク支持台１２の重心よりも前方にあるため上記タンク支持台１２の前方が上方に持ち上げられることにより附勢手段１６であるバネが蓄勢復帰力を持って伸ばされ、同時に後方が下方に押し下げられ上記台座１７に当接し安定する。よって、上記タンク支持台１２は上記固定台１１に対して平行となりタンクは水平に載置される。
【００６８】
タンク内の残留液量が少なくなった時には、上記附勢手段１６であるバネの蓄勢復帰力によってバネが縮み、バネと結合されているタンク保持台１２左右側部が下方に引っ張られ上記回転軸１３を支点として後方が上方に持ち上げられることにより上記タンク支持台１２が傾斜する。
【００６９】
この為、タンク内の流体が例えばタンクＴの底部コーナに集まりホースでの流体の吸引をしやすくする。
【図面の簡単な説明】
【００７０】
【図１】請求項１の実施の形態に係わるタンクの傾斜装置においてタンク支持台が傾斜した状態の斜視図である。
【図２】請求項１の実施の形態に係わるタンクの傾斜装置においてタンク支持台を水平にした状態の斜視図である。
【図３】請求項１の実施の形態に係わるタンクの傾斜装置の附勢手段の拡大斜視図である。
【図４】請求項５の実施の形態に係わるタンクの傾斜装置においてタンク支持台を傾斜した状態の斜視図である。
【図５】請求項５の実施の形態に係わるタンクの傾斜装置においてタンク支持台を水平にした状態の斜視図である。
【図６】従来のタンク支持装置を車両に搭載した状態の背面図である。
【図７】図６のタンクを手動で傾斜させた状態の背面図である。
【符号の説明】
【００７１】
１  固定台
２  タンク支持台
３  ヒンジ
４  附勢手段
５  附勢補助手段
６  ストッパ
７  タンク保持手段
８  引っ掛け具
９  ブラケット
１０  ブラケット
１１  固定台
１２  タンク支持台
１３  回転軸
１４  軸受
１５  ブラケット
１６  附勢手段
１７  台座
１８  ストッパ
１９  タンク保持手段
２０  引っ掛け具
２１  ブラケット
２２  ブラケット
２３  ブラケット
２４  ブラケット
【図１】
2010052904.tif 000003
【図２】
2010052904.tif 000004
【図３】
2010052904.tif 000005
【図４】
2010052904.tif 000006
【図５】
2010052904.tif 000007
【図６】
2010052904.tif 000008
【図７】
2010052904.tif 000009